(57)【要約】【課題】高い倍率を確保しつつ、良好に収差を補正することができる接眼レンズを提供する。【解決手段】対物レンズによって結像された実像を正立光学系Ｐを介して観察する一眼レフカメラ用の接眼レンズＬにおいて、前記対物レンズの実像面Ｉ側から順に、光軸に沿って、両凸形状の正レンズ群Ｇ１と、実像面Ｉ側に凸面を向けたメニスカス形状のレンズ群Ｇ２とを有し、所定の条件式を満足する。【選択図】図１
2005107035.tif 000002
【特許請求の範囲】
【請求項１】
対物レンズによって結像された実像を正立光学系を介して観察する一眼レフカメラ用の接眼レンズにおいて、
前記対物レンズの実像面側から順に、光軸に沿って、両凸形状の正レンズ群と、前記実像面側に凸面を向けたメニスカス形状のレンズ群とを有し、
以下の条件式を満足することを特徴とする接眼レンズ。
０＜ｆ１／|ｆ２|＜０．２８
ただし、
ｆ１：前記正レンズ群の焦点距離
ｆ２：前記メニスカス形状のレンズ群の焦点距離
【請求項２】
以下の条件式を満足することを特徴とする請求項１に記載の接眼レンズ。
７＜（ｒｂ＋ｒａ）／（ｒｂ−ｒａ）
ただし、
ｒａ：前記メニスカス形状のレンズ群の最も前記実像面側のレンズ面の曲率半径
ｒｂ：前記メニスカス形状のレンズ群の最もアイポイント側のレンズ面の曲率半径
【請求項３】
前記正レンズ群は、正レンズと負レンズとからなる接合レンズを含み、
以下の条件式を満足することを特徴とする請求項１または請求項２に記載の接眼レンズ。
１０＜νｐ−νｎ＜４０
ただし、
νｐ：前記接合レンズ中の正レンズの硝材のｄ線（λ＝５８７．５６ｎｍ）に対するアッベ数
νｎ：前記接合レンズ中の負レンズの硝材のｄ線（λ＝５８７．５６ｎｍ）に対するアッベ数
【請求項４】
前記メニスカス形状のレンズ群は、負の屈折力を有することを特徴とする請求項１から請求項３のいずれか一項に記載の接眼レンズ。
【請求項５】
前記メニスカス形状のレンズ群は、接合レンズを含むことを特徴とする請求項１から請求項４のいずれか一項に記載の接眼レンズ。
【発明の詳細な説明】
【技術分野】
【０００１】
本発明は、接眼レンズに関し、特に正立光学系を介して観察する一眼レフカメラ用の接眼レンズに関する。
【背景技術】
【０００２】
近年、正立光学系を介して観察する一眼レフカメラ用の接眼レンズが提案されている（例えば、特許文献１参照。）。
【特許文献１】特開平１１−２３７５６２号公報
【発明の開示】
【発明が解決しようとする課題】
【０００３】
しかしながら、上記特許文献１に開示の接眼レンズは、高い倍率を十分に確保したものではないという問題がある。
【０００４】
そこで本発明は上記問題点に鑑みてなされたものであり、高い倍率を確保しつつ、良好に収差を補正することができる接眼レンズを提供することを目的とする。
【課題を解決するための手段】
【０００５】
上記課題を解決するために本発明は、
対物レンズによって結像された実像を正立光学系を介して観察する一眼レフカメラ用の接眼レンズにおいて、
前記対物レンズの実像面側から順に、光軸に沿って、両凸形状の正レンズ群と、前記実像面側に凸面を向けたメニスカス形状のレンズ群とを有し、
以下の条件式を満足することを特徴とする接眼レンズを提供する。
０＜ｆ１／|ｆ２|＜０．２８
ただし、
ｆ１：前記正レンズ群の焦点距離
ｆ２：前記メニスカス形状のレンズ群の焦点距離
【０００６】
尚、両凸形状の正レンズ群とは、正レンズ群の最も実像面側のレンズ面が実像面側に凸面を向けた形状であり、最もアイポイント側のレンズ面がアイポイント側に凸面を向けた形状の正レンズ群であることを示している。
【０００７】
また、実像面側に凸面を向けたメニスカス形状のレンズ群とは、最も実像面側のレンズ面および最もアイポイント側のレンズ面が各々実像面側に凸面を向けた形状のレンズ群であることを示している。
【０００８】
また、本発明の好ましい態様によれば、本発明の接眼レンズは、
以下の条件式を満足することが望ましい。
７＜（ｒｂ＋ｒａ）／（ｒｂ−ｒａ）
ただし、
ｒａ：前記メニスカス形状のレンズ群の最も前記実像面側のレンズ面の曲率半径
ｒｂ：前記メニスカス形状のレンズ群の最もアイポイント側のレンズ面の曲率半径
【０００９】
また、本発明の好ましい態様によれば、本発明の接眼レンズにおいて、
前記正レンズ群は、正レンズと負レンズとからなる接合レンズを含み、
以下の条件式を満足することが望ましい。
１０＜νｐ−νｎ＜４０
ただし、
νｐ：前記接合レンズ中の正レンズの硝材のｄ線（λ＝５８７．５６ｎｍ）に対するアッベ数
νｎ：前記接合レンズ中の負レンズの硝材のｄ線（λ＝５８７．５６ｎｍ）に対するアッベ数
【００１０】
また、本発明の好ましい態様によれば、本発明の接眼レンズにおいて、前記メニスカス形状のレンズ群は、負の屈折力を有することが望ましい。
【００１１】
また、本発明の好ましい態様によれば、本発明の接眼レンズにおいて、前記メニスカス形状のレンズ群は、接合レンズを含むことが望ましい。
【発明の効果】
【００１２】
本発明によれば、高い倍率を確保しつつ、良好に収差を補正することができる接眼レンズを提供することができる。
【発明を実施するための最良の形態】
【００１３】
本発明の接眼レンズは、対物レンズによって結像された実像を正立光学系を介して観察する一眼レフカメラ用の接眼レンズにおいて、前記対物レンズの実像面側から順に、光軸に沿って、両凸形状の正レンズ群と、前記実像面側に凸面を向けたメニスカス形状のレンズ群とを有し、以下の条件式（１）を満足するように構成されている。
（１）  ０＜ｆ１／|ｆ２|＜０．２８
ただし、
ｆ１：前記正レンズ群の焦点距離
ｆ２：前記メニスカス形状のレンズ群の焦点距離
【００１４】
本発明の接眼レンズは、上述のように、両凸形状の正レンズ群を最も対物レンズの実像面側に配置し、正レンズ群を前記実像面に極力接近させる構成とすることによって、倍率の向上を図っている。そして、この正レンズ群の近傍に、前記実像面側に凸面を向けたメニスカス形状のレンズ群を配置することによって、正レンズ群で発生するコマ収差を良好に補正することが可能となる。そしてさらに、本発明の効果を得るために、上記条件式（１）が設定されている。
【００１５】
条件式（１）は、各レンズ群の焦点距離を適切に規定する条件式である。条件式（１）の上限値を上回ると、メニスカス形状のレンズ群の屈折力が大きくなるため、接眼レンズの倍率を大きくすることができなくなってしまう。一方、条件式（１）の下限値を下回ると、メニスカス形状のレンズ群の屈折力が小さくなり過ぎるため、正レンズ群で発生するコマ収差を補正することが困難になってしまう。
【００１６】
また、本発明の接眼レンズは、以下の条件式（２）を満足することが望ましい。
（２）  ７＜（ｒｂ＋ｒａ）／（ｒｂ−ｒａ）
ただし、
ｒａ：前記メニスカス形状のレンズ群の最も前記実像面側のレンズ面の曲率半径
ｒｂ：前記メニスカス形状のレンズ群の最もアイポイント側のレンズ面の曲率半径
【００１７】
上記条件式（２）は、本発明の接眼レンズにおいてさらに高倍率を確保しつつ良好なコマ収差を確保するために、メニスカス形状のレンズ群の形状を規定する条件式である。条件式（２）の下限値を下回ると、メニスカス形状のレンズ群の屈折力が大きくなるため、接眼レンズの倍率を大きくすることができなくなってしまう。
【００１８】
さらに望ましくは条件式（２）は６より大きいことが望ましい。これは正レンズ群の屈折力を大きく保ちつつ、コマ収差を良好に補正するための条件である。
【００１９】
尚、本発明の接眼レンズは、条件式（２）の下限値を５として満足することがより好ましい。
【００２０】
また、本発明の接眼レンズは、前記正レンズ群が、正レンズと負レンズとからなる接合レンズを含み、以下の条件式（３）を満足することが望ましい。
（３）  １０＜νｐ−νｎ＜４０
ただし、
νｐ：前記接合レンズ中の正レンズの硝材のｄ線（λ＝５８７．５６ｎｍ）に対するアッベ数
νｎ：前記接合レンズ中の負レンズの硝材のｄ線（λ＝５８７．５６ｎｍ）に対するアッベ数
【００２１】
上記条件式（３）は、正レンズ群を接合レンズとしたときに良好な色収差を確保するため、接合レンズを構成する各レンズのアッベ数を規定する条件式である。条件式（３）の上限値を上回ると、色収差の過剰補正になり易くなってしまう。一方、下限値を下回ると、色収差の補正不足になり易くなってしまう。
【００２２】
尚、本発明の接眼レンズは、条件式（３）の上限値を３０として満足することがより好ましい。
【００２３】
さらに本発明の接眼レンズには、非球面を導入することが有効である。正レンズ群に非球面を導入することによって、球面収差および歪曲収差を補正することが容易になる。また、メニスカス形状のレンズ群に非球面を導入することによって、コマ収差をさらに良好に補正することができる。また、正レンズ群とメニスカス形状のレンズ群の両方に非球面を導入することによって、各レンズ群の屈折率を小さくして接眼レンズを構成することが可能になる。特に、樹脂レンズなど使用して非球面を導入することによって、大量生産が容易になる。
【００２４】
以下、添付図面に基づいて本発明の各実施例に係る接眼レンズを説明する。
【００２５】
（第１実施例）
図１は、本発明の第１実施例に係る接眼レンズを備えた一眼レフカメラ用の実像式ファインダー光学系を示す図である。
【００２６】
図１に示すように、実像式ファインダー光学系は、不図示の対物レンズの実像面Ｉ側から順に、光軸に沿って、該実像面Ｉ近傍に配置されたコンデンサレンズＣと、正立化部材Ｐと、該正立化部材Ｐ近傍に配置された接眼レンズＬとからなる。
【００２７】
本実施例に係る接眼レンズＬは、不図示の対物レンズの実像面Ｉ側から順に、光軸に沿って、正レンズ群Ｇ１と、メニスカス形状のレンズ群Ｇ２とから構成されている。
【００２８】
そして、正レンズ群Ｇ１は、実像面Ｉ側から順に、光軸に沿って、両凸形状の正レンズＬ１１と実像面Ｉ側に凹面を向けた負メニスカスレンズＬ１２との接合レンズからなる。
【００２９】
また、メニスカス形状のレンズ群Ｇ２は、アイポイントＥ.Ｐ側に凹面を向けた正メニスカスレンズＬ２１からなる。
【００３０】
上記正立化部材Ｐは、プリズムによって構成されており、不図示の対物レンズによって形成された実像を正立像とするものである。尚、この正立化部材Ｐは、図１において展開した状態で示されている。
【００３１】
斯かる構成の下、不図示の対物レンズによって結像された実像は、コンデンサレンズＣ、正立化部材Ｐ、および接眼レンズＬを介してアイポイントＥ.Ｐにて観察されることとなる。
【００３２】
以下の表１に、本発明の第１実施例に係る接眼レンズを備えた一眼レフカメラ用の実像式ファインダー光学系の諸元値を掲げる。
【００３３】
（全体諸元）において、ｆｅは接眼レンズＬ全体の焦点距離を示す。また、視度の単位「ディオプター」または「ｍ-1」に関して、視度Ｘ［ディオプターまたはｍ-1］とは、接眼レンズＬによる像がアイポイントＥ.Ｐから光軸上１／Ｘ［ｍ(メートル)］の位置にできる状態のことを示す。尚、符号は像がアイポイントＥ.Ｐより実像面Ｉ側にできたときを負とする。
【００３４】
（レンズデータ）において、面番号は実像面Ｉ側からの光学面の順序、間隔は光学面の間隔をそれぞれ示す。また、nｄ，νdはそれぞれｄ線（λ＝５８７．５６ｎｍ）に対する屈折率，アッベ数を示す。さらに、曲率半径∞は平面を示し、E.Pはアイポイントを示す。
【００３５】
ここで、以下の全ての諸元値において掲載されている焦点距離、曲率半径、その他長さの単位は一般に「ｍｍ」が使われる。しかし光学系は、比例拡大または比例縮小しても同等の光学性能が得られるため、単位はｍｍに限られるものではない。
【００３６】
尚、以下の全実施例の諸元値においても、本実施例と同様の符号を用いる。
【００３７】
（表１）
（全体諸元）
視度＝-1ｍ-1
ｆｅ＝64.064
（レンズデータ）
面番号   曲率半径    間隔       nｄ       νd
1)      ∞       1.200     1.000000
2)      ∞       4.700     1.568829    56.05
3)   -65.00000   3.400     1.000000 
4)      ∞      94.691     1.516800    64.10
5)      ∞       0.100     1.000000
6)    57.49230   3.600     1.610250    56.66
7)   -96.65291   0.900     1.648311    33.75
8)  -232.06258   0.100      1.000000
9)    50.60000  10.300      1.756920    31.62
10)    47.03526  18.500      1.000000
E.P
（条件式対応値）
条件式（１）ｆ１／|ｆ２|＝  0.021
条件式（２）（ｒｂ＋ｒａ）／（ｒｂ−ｒａ）＝  27.389
条件式（３）νｐ−νｎ＝  22.91
【００３８】
図２は、本発明の第１実施例に係る接眼レンズを備えた一眼レフカメラ用の実像式ファインダー光学系の諸収差を示す図である。
【００３９】
図２は、左から順に、球面収差、非点収差、コマ収差、および歪曲収差を示している。各収差図においてＣ，Ｆ，Ｄはそれぞれ、Ｃ線（λ＝６５６．２８ｎｍ），Ｆ線（λ＝４８６．１３ｎｍ），ｄ線（λ＝５８７．５６ｎｍ）での収差曲線を示している。また、歪曲収差図におけるＹ１は正立化部材Ｐへの光線の入射高さ、非点収差図、コマ収差図、および歪曲収差図におけるＹ０は対物レンズの実像面Ｉ上での物体高、非点収差図における実線はサジタル像面、破線はメリディオナル像面をそれぞれ示している。また、コマ収差図におけるｍｉｎは角度の単位である分を示す。尚、球面収差図および非点収差図におけるＤ．の単位は「ディオプター」または「ｍ-1」である。
【００４０】
尚、以下に示す全実施例の諸収差図において、本実施例と同様の符号を用いる。
【００４１】
各収差図より、本実施例に係る接眼レンズは良好な光学性能が確保されていることがわかる。
【００４２】
（第２実施例）
図３は、本発明の第２実施例に係る接眼レンズを備えた一眼レフカメラ用の実像式ファインダー光学系を示す図である。
【００４３】
図３に示すように、実像式ファインダー光学系は、不図示の対物レンズの実像面Ｉ側から順に、光軸に沿って、該実像面Ｉ近傍に配置されたコンデンサレンズＣと、正立化部材Ｐと、該正立化部材Ｐ近傍に配置された接眼レンズＬとからなる。
【００４４】
本実施例に係る接眼レンズＬは、不図示の対物レンズの実像面Ｉ側から順に、光軸に沿って、正レンズ群Ｇ１と、メニスカス形状のレンズ群Ｇ２とから構成されている。
【００４５】
そして、正レンズ群Ｇ１は、実像面Ｉ側から順に、光軸に沿って、両凸形状の正レンズＬ１１と実像面Ｉ側に凹面を向けた負メニスカスレンズＬ１２との接合レンズからなる。
【００４６】
また、メニスカス形状のレンズ群Ｇ２は、アイポイントＥ.Ｐ側に凹面を向けた負メニスカスレンズＬ２１からなる。
【００４７】
上記正立化部材Ｐは、プリズムによって構成されており、不図示の対物レンズによって形成された実像を正立像とするものである。尚、この正立化部材Ｐは、図３において展開した状態で示されている。
【００４８】
斯かる構成の下、不図示の対物レンズによって結像された実像は、コンデンサレンズＣ、正立化部材Ｐ、および接眼レンズＬを介してアイポイントＥ.Ｐにて観察されることとなる。
【００４９】
以下の表２に、本発明の第２実施例に係る接眼レンズを備えた一眼レフカメラ用の実像式ファインダー光学系の諸元値を掲げる。
【００５０】
（表２）
（全体諸元）
視度＝-1.1ｍ-1
ｆｅ＝65.00
（レンズデータ）
面番号   曲率半径    間隔       nｄ       νd
1)      ∞       1.200     1.000000
2)      ∞       4.700     1.568829    56.05
3)   -65.00000   3.400     1.000000
4)      ∞      94.691     1.516800    64.10
5)      ∞       0.100     1.000000
6)    43.83698   6.600     1.589130    61.09
7)   -38.31842   1.800     1.672700    32.17
8)  -123.98019   0.100     1.000000
9)    55.87416   6.900     1.805182    25.35
10)    41.95692  18.500     1.000000
E.P
（条件式対応値）
条件式（１）ｆ１／|ｆ２|＝  0.226
条件式（２）（ｒｂ＋ｒａ）／（ｒｂ−ｒａ）＝  7.029
条件式（３）νｐ−νｎ＝  28.92
【００５１】
図４は、本発明の第２実施例に係る接眼レンズ接眼レンズを備えた一眼レフカメラ用の実像式ファインダー光学系の諸収差を示す図である。
【００５２】
各収差図より、本実施例に係る接眼レンズは良好な光学性能が確保されていることがわかる。
【００５３】
（第３実施例）
図５は、本発明の第３実施例に係る接眼レンズを備えた一眼レフカメラ用の実像式ファインダー光学系を示す図である。
【００５４】
図５に示すように、実像式ファインダー光学系は、不図示の対物レンズの実像面Ｉ側から順に、光軸に沿って、該実像面Ｉ上に配置されたコンデンサレンズＣと、正立化部材Ｐと、該正立化部材Ｐ近傍に配置された接眼レンズＬとからなる。
【００５５】
本実施例に係る接眼レンズＬは、不図示の対物レンズの実像面Ｉ側から順に、光軸に沿って、正レンズ群Ｇ１と、メニスカス形状のレンズ群Ｇ２とから構成されている。
【００５６】
そして、正レンズ群Ｇ１は、実像面Ｉ側から順に、光軸に沿って、両凸形状の正レンズＬ１１と実像面Ｉ側に凹面を向けた負メニスカスレンズＬ１２との接合レンズからなる。
【００５７】
また、メニスカス形状のレンズ群Ｇ２は、アイポイントＥ.Ｐ側に凹面を向けた負メニスカスレンズＬ２１からなる。
【００５８】
上記正立化部材Ｐは、プリズムによって構成されており、不図示の対物レンズによって形成された実像を正立像とするものである。尚、この正立化部材Ｐは、図５において展開した状態で示されている。
【００５９】
斯かる構成の下、不図示の対物レンズによって結像された実像は、コンデンサレンズＣ、正立化部材Ｐ、および接眼レンズＬを介してアイポイントＥ.Ｐにて観察されることとなる。
【００６０】
以下の表３に、本発明の第３実施例に係る接眼レンズを備えた一眼レフカメラ用の実像式ファインダー光学系の諸元値を掲げる。
【００６１】
（表３）
（全体諸元）
視度＝-1.5ｍ-1
ｆｅ＝67.49
（レンズデータ）
面番号   曲率半径    間隔       nｄ       νd
1)      ∞       1.200     1.000000
2)      ∞       4.700     1.568829    56.05
3)   -65.00000   3.400     1.000000
4)      ∞      94.691     1.516800    64.10
5)      ∞       0.100     1.000000
6)    43.90869   6.600     1.589130    61.20
7)   -38.30300   1.800     1.755200    27.50
8)  -100.09963   0.100     1.000000
9)    50.09384   4.000     1.749500    35.30
10)    38.31000  20.000     1.000000
E.P 
（条件式対応値）
条件式（１）ｆ１／|ｆ２|＝  0.240
条件式（２）（ｒｂ＋ｒａ）／（ｒｂ−ｒａ）＝  7.502
条件式（３）νｐ−νｎ＝  33.70
【００６２】
図６は、本発明の第３実施例に係る接眼レンズ接眼レンズを備えた一眼レフカメラ用の実像式ファインダー光学系の諸収差を示す図である。
【００６３】
各収差図より、本実施例に係る接眼レンズは良好な光学性能が確保されていることがわかる。
【００６４】
（第４実施例）
図７は、本発明の第４実施例に係る接眼レンズを備えた一眼レフカメラ用の実像式ファインダー光学系を示す図である。
【００６５】
図７に示すように、実像式ファインダー光学系は、不図示の対物レンズの実像面Ｉ側から順に、光軸に沿って、該実像面Ｉ上に配置されたコンデンサレンズＣと、正立化部材Ｐと、該正立化部材Ｐ近傍に配置された接眼レンズＬとからなる。
【００６６】
本実施例に係る接眼レンズＬは、不図示の対物レンズの実像面Ｉ側から順に、光軸に沿って、正レンズ群Ｇ１と、メニスカス形状のレンズ群Ｇ２とから構成されている。
【００６７】
そして、正レンズ群Ｇ１は、実像面Ｉ側から順に、光軸に沿って、両凸形状の正レンズＬ１１と実像面Ｉ側に凹面を向けた負メニスカスレンズＬ１２との接合レンズからなる。
【００６８】
また、メニスカス形状のレンズ群Ｇ２は、アイポイントＥ.Ｐ側に凹面を向けた正メニスカスレンズＬ２１からなる。
【００６９】
上記正立化部材Ｐは、プリズムによって構成されており、不図示の対物レンズによって形成された実像を正立像とするものである。尚、この正立化部材Ｐは、図７において展開した状態で示されている。
【００７０】
斯かる構成の下、不図示の対物レンズによって結像された実像は、コンデンサレンズＣ、正立化部材Ｐ、および接眼レンズＬを介してアイポイントＥ.Ｐにて観察されることとなる。
【００７１】
以下の表４に、本発明の第４実施例に係る接眼レンズを備えた一眼レフカメラ用の実像式ファインダー光学系の諸元値を掲げる。
【００７２】
（表４）
（全体諸元）
視度＝-1.0ｍ-1
ｆｅ＝68.57
（レンズデータ）
面番号   曲率半径    間隔       nｄ       νd
1)      ∞       1.200     1.000000
2)      ∞       4.700     1.568829    56.05
3)   -65.00000   3.400     1.000000
4)      ∞      94.691     1.516800    64.10
5)      ∞       0.100     1.000000
6)    70.00000   6.600     1.589130    61.09
7)   -38.31842   1.800     1.672700    32.17
8)  -123.98019   0.100     1.000000
9)    47.00000   5.000     1.796310    40.90
10)    49.00000  22.000     1.000000
E.P
（条件式対応値）
条件式（１）ｆ１／|ｆ２|＝  0.126
条件式（２）（ｒｂ＋ｒａ）／（ｒｂ−ｒａ）＝  48.000
条件式（３）νｐ−νｎ＝  28.92
【００７３】
図８は、本発明の第４実施例に係る接眼レンズ接眼レンズを備えた一眼レフカメラ用の実像式ファインダー光学系の諸収差を示す図である。
【００７４】
各収差図より、本実施例に係る接眼レンズは良好な光学性能が確保されていることがわかる。
【００７５】
以上、上記各実施例によれば、高い倍率を確保しつつ、良好に収差を補正することができる接眼レンズを実現することができる。
【図面の簡単な説明】
【００７６】
【図１】本発明の第１実施例に係る接眼レンズを備えた一眼レフカメラ用の実像式ファインダー光学系を示す図である。
【図２】本発明の第１実施例に係る接眼レンズ接眼レンズを備えた一眼レフカメラ用の実像式ファインダー光学系の諸収差を示す図である。
【図３】本発明の第２実施例に係る接眼レンズを備えた一眼レフカメラ用の実像式ファインダー光学系を示す図である。
【図４】本発明の第２実施例に係る接眼レンズ接眼レンズを備えた一眼レフカメラ用の実像式ファインダー光学系の諸収差を示す図である。
【図５】本発明の第３実施例に係る接眼レンズを備えた一眼レフカメラ用の実像式ファインダー光学系を示す図である。
【図６】本発明の第３実施例に係る接眼レンズ接眼レンズを備えた一眼レフカメラ用の実像式ファインダー光学系の諸収差を示す図である。
【図７】本発明の第４実施例に係る接眼レンズを備えた一眼レフカメラ用の実像式ファインダー光学系を示す図である。
【図８】本発明の第４実施例に係る接眼レンズ接眼レンズを備えた一眼レフカメラ用の実像式ファインダー光学系の諸収差を示す図である。
【符号の説明】
【００７７】
Ｌ      接眼レンズ
Ｇ１    両凸形状の正レンズ群
Ｇ２    メニスカス形状のレンズ群
Ｉ      対物レンズの実像面
Ｐ      正立化部材
【図１】
2005107035.tif 000003
【図２】
2005107035.tif 000004
【図３】
2005107035.tif 000005
【図４】
2005107035.tif 000006
【図５】
2005107035.tif 000007
【図６】
2005107035.tif 000008
【図７】
2005107035.tif 000009
【図８】
2005107035.tif 000010